(57)【要約】【課題】スイッチに負荷がかかることを低減しつつ、装置の薄型化を図ることができるディスク駆動装置を提供する。【解決手段】ディスク駆動装置１１は、本体１２と、本体１２に対して前後に移動できるディスクトレイ１３と、本体１２に設けられるとともに、ディスクトレイ１３の移動に伴って回動するレバー５４と、本体１２に設けられ、レバー５４の回動によって操作されるとともにディスクトレイ１３の位置を検知するスイッチ５６と、を具備する。レバー５４は、ディスクトレイ１３に沿った方向に回動する。【選択図】図４
2008243336.tif 000002
【特許請求の範囲】
【請求項１】
本体と、
前記本体に対して前方向および後方向に移動できるディスクトレイと、
前記本体に設けられるとともに、前記ディスクトレイの移動に伴って回動するレバーと、
前記本体に設けられ、前記レバーの回動によって操作されるとともに前記ディスクトレイの位置を検知するスイッチと、
を具備し、
前記レバーは、前記ディスクトレイに沿った方向に回動することを特徴とするディスク駆動装置。
【請求項２】
前記レバーは、前記ディスクトレイに沿った位置に配置されることを特徴とする請求項１に記載のディスク駆動装置。
【請求項３】
前記スイッチの押し込み方向は、前記レバーの回動軌跡がなす平面と直交する方向であることを特徴とする請求項２に記載のディスク駆動装置。
【請求項４】
前記スイッチは、前記レバーによって押し込まれる押し込み部を有し、前記押し込み部は、前記レバーの回動軌跡がなす平面に対して斜めになった斜面を含み、この斜面は、前記レバーの回動運動を前記押し込み部の前記押し込み方向への運動に変換することを特徴とする請求項３に記載のディスク駆動装置。
【請求項５】
前記ディスクトレイは、前記本体に対して装着したり、前記本体から取り外したり可能であり、
前記レバーは、前記ディスクトレイを装着する際に前記スイッチから外れた位置に回動することを特徴とする請求項４に記載のディスク駆動装置。
【請求項６】
前記レバーは、前記スイッチに当接する第１の位置と、前記第１の位置に対して反対側の第２の位置と、前記第１の位置と前記第２の位置との間に位置する初期位置と、の間で回動可能であり、このレバーは、前記ディスクトレイが前記前方向に移動する際に前記第１の位置に回動するとともに、前記ディスクトレイが前記後方向に移動する際に前記第２の位置に回動することを特徴とする請求項５に記載のディスク駆動装置。
【請求項７】
前記ディスクトレイが静止した状態で、前記初期位置に前記レバーを保持するための保持機構を具備することを特徴とする請求項６に記載のディスク駆動装置。
【発明の詳細な説明】
【技術分野】
【０００１】
本発明は、ディスクトレイの開閉を検知するセンサを備えたディスク駆動装置に関する。
【背景技術】
【０００２】
例えば、スイッチを介してモータをオンオフすることが可能なディスクローディング装置として、以下のものが開示されている。このディスクローディング装置は、トレイと、トレイを駆動するためのローディング用モータと、トレイの出し入れに伴って回動するレバーと、レバーによって押し込まれるスイッチと、を備えている。レバーは、トレイの平面と平行に設けられた軸周りに回動することができる。
【０００３】
スイッチは、レバーの回転軌跡上に設けられている。スイッチの押し込み方向は、レバーの回転する方向に沿った方向になっている。スイッチは、ローディング用モータに連動しており、スイッチの押し込みにより、ローディング用モータの電源がオフになる。
【０００４】
このディスクローディング装置において、トレイを組み込んだり、トレイを取り外したりする場合には、レバーを下方に押しやった状態で作業を行う（例えば、特許文献１参照）。
【特許文献１】実開平７−１０８３７号公報
【発明の開示】
【発明が解決しようとする課題】
【０００５】
しかしながら、上記従来のディスクローディング装置では、レバーは、トレイの平面と平行な軸まわりに回動するようになっているため、レバーの回転半径を確保する分厚み寸法が増大してしまう問題があった。また、レバーの回転軌跡上にあるスイッチの押し込み方向がレバーの回転方向に沿っている。このため、トレイを装置に組み込む際に、トレイを強く押し込んでレバーのオーバーランを生じたときに、スイッチに大きな負荷がかかり、スイッチを破損してしまう恐れがあった。さらに、このディスクローディング装置では、レバーを中立状態に維持するための機構が設けられていないため、外部から衝撃が加えられた場合等に誤ってスイッチが押されてしまう恐れがあった。
【０００６】
本発明の目的は、スイッチに負荷がかかることを低減しつつ、装置の薄型化を図ることができるディスク駆動装置を提供することにある。
【課題を解決するための手段】
【０００７】
前記目的を達成するため、本発明の一つの形態に係るディスク駆動装置は、本体と、前記本体に対して前後に移動できるディスクトレイと、前記ディスクトレイの移動に伴って回動するレバーと、前記レバーの回動によって操作され前記ディスクトレイの位置を検知するスイッチと、を具備し、前記レバーは、前記ディスクトレイに沿った方向に回動する。
【発明の効果】
【０００８】
本発明によれば、スイッチに負荷がかかることを低減しつつ、装置の薄型化を図ることができるディスク駆動装置を提供できる。
【発明を実施するための最良の形態】
【０００９】
以下に、図１から図９を参照して、ディスク駆動装置の実施形態について、例えば、ＤＶＤ（Digital Versatile disk）駆動装置に適用した場合を例に説明する。
【００１０】
図１から図３に示すように、ＤＶＤ駆動装置１１は、本体１２と、本体１２に対して前後に移動できるディスクトレイ１３とを備えている。ディスクトレイ１３は、図１に示すように本体１２の内部に収容された第１の状態Ｓ１と、図２に示すように本体１２から外部に露出した第２の状態Ｓ２と、の間で移動することができる。もっとも、ディスクトレイ１３は、第２の状態Ｓ２からさらに前方に移動することができ、これに対して図示しない光ディスクを搭載したり、これから光ディスクを取り外したりできる。
【００１１】
本体１２は、金属性のシャーシ２１と、シャーシ２１の上側に搭載された樹脂製のフレーム２２と、フレーム２２の上側に被さるシャーシトップ２８と、シャーシ２１とフレーム２２との間に設けられた計４個のダンパ２３と、フレーム２２に対して昇降できるトラバースメカ２４と、トラバースメカ２４の昇降およびディスクトレイ１３の水平方向の移動を駆動するための駆動機構２５と、フレーム２２の前方に設けられたフロントパネル２６と、ディスクトレイ１３の位置を検知するためのセンサ機構２７と、を有している。ダンパ２３は、シャーシ２１の４箇所の角部に対応する位置にそれぞれ設けられている。フレーム２２は、各ダンパ２３によって弾力的に支持されている。
【００１２】
図３に示すように、駆動機構２５は、例えば、ＤＣモータで構成されるローディングモータ３１と、ローディングモータ３１の駆動軸に圧入されたプーリ３２と、プーリ３２の駆動力を伝達する駆動ベルト３３、プーリギア３４、中継ギア３５およびトレイギア３６と、トレイギア３６と噛み合ってトラバースメカ２４を昇降させるロードカム３７と、を有している。
【００１３】
図３に示すように、トラバースメカ２４は、トラバースシャーシ４０と、トラバースシャーシ４０の上側に搭載されたディスクモータ４１および光ピックアップユニット４２と、を有している。ディスクモータ４１は、ディスクトレイ１３に搭載された光ディスクを持ち上げて回転させることができる。トラバースメカ２４は、駆動機構２５の駆動によって、ディスクトレイ１３上の光ディスクに対して昇降することができる。このため、ディスクトレイ１３が第１の状態Ｓ１に移動された際に、トラバースメカ２４は上昇し、シャーシトップ２８に設けられた図示しないクランパーとの間で光ディスクを保持することができる。
【００１４】
図１に示すように、フロントパネル２６は、枠状のフロントベゼル４３と、フロントベゼル４３の中央に設けられた開口部４４と、開口部４４の内側に嵌る蓋体４５と、フロントベゼル４３と蓋体４５との間に設けられた図示しないねじりバネと、を有している。蓋体４５は、ねじりバネにより、常にフロントパネル２６の開口部４４を塞ぐように付勢されている。ディスクトレイ１３は、開口部４４を通って、第１の状態Ｓ１と第２の状態Ｓ２の間で移動することができる。
【００１５】
ディスクトレイ１３は、本体１２に対して装着したり、図３に示すように、本体１２から取り外したりすることができる。図１と図４に示すように、ディスクトレイ１３は、光ディスクが搭載される搭載面１３Ａと、搭載面１３Ａの下方に設けられる枠状の下枠部１３Ｂと、下枠部１３Ｂの内側に設けられたカム部１３Ｃと、搭載面１３Ａとは反対側の下面に設けられるラックと、を備えている。ラックは、図示省略したが、駆動機構２５のトレイギア３６と噛み合っている。ラックおよびトレイギア３６により、ディスクトレイ１３は本体１２に対して前方向および後方向に移動することができる。カム部１３Ｃは、第１のカム面５１と、頂面５３と、第１のカム面５１とは反対側の第２のカム面５２と、を有している。
【００１６】
図４と図５に示すように、センサ機構２７は、ディスクトレイ１３のカム部１３Ｃに当接して回動するレバー５４と、レバー５４が回動できるようにこのレバー５４を支持する軸部５５と、レバー５４の回動によって操作されるスイッチ５６と、レバー５４を中立状態で保持する保持機構５７と、を有している。軸部５５は、ディスクトレイ１３のなす面に対して直交する方向に延びている。
【００１７】
図５に示すようにレバー５４は、ディスクトレイ１３に沿った位置、つまり、ディスクトレイ１３の直近に配置されている。図４、５、７に示すように、レバー５４は、ディスクトレイ１３のカム部１３Ｃに当接するピン６１を含む第１のアーム５４Ａと、スイッチ５６に当接する第２のアーム５４Ｂと、を有している。レバー５４は、ディスクトレイ１３の移動に伴って軸部５５を中心に回動することができる。すなわち、レバー５４は、図８に示す第１の位置Ｐ１と、図９に示す第２の位置Ｐ２と、図７に示す第１の位置Ｐ１と第２の位置Ｐ２との間にある初期位置Ｐ０との間で、回動することができる。図９に示すように、レバー５４は、ディスクトレイ１３に沿った方向に回動することができる。つまり、レバー５４の回動軌跡がなす平面Ａは、ディスクトレイ１３と平行になっている。
【００１８】
図７に示すように、保持機構５７は、前記軸部５５の周囲に巻き掛けられたトーションバネ６２と、トーションバネ６２の一端６２Ａを規制する第１の係止片６３と、トーションバネ６２の他端６２Ｂを規制する第２の係止片６４と、を含んでいる。保持機構５７は、ディスクトレイ１３が静止した状態で、初期位置Ｐ０にレバー５４を保持することができる。
【００１９】
スイッチ５６は、ディスクトレイ１３の位置を検知するためのものである。スイッチ５６は、スイッチ本体６６と、スイッチ本体６６の中央部に設けられた押し込み部６５と、を有している。図５に示すように、押し込み部６５は、レバー５４の回動軌跡がなす平面Ａに対して斜めになった斜面６５Ａを含んでいる。押し込み部６５は、上下方向に押し込まれるようになっている。すなわち、スイッチ５６の押し込み方向Ｂは、レバー５４の回転軌跡がなす平面Ａと直交する方向になっている。
【００２０】
続いて、図７から図９を参照して、ディスクトレイ１３の移動に伴うセンサ機構２７の動作について説明する。
【００２１】
図７に示すように、ディスクトレイ１３が静止している状態では、レバー５４は、保持機構５７によって、第１の位置Ｐ１と第２の位置Ｐ２の中間にある初期位置Ｐ０に保持されている。図４と図８に示すように、ディスクトレイ１３が第１の状態Ｓ１から第２の状態Ｓ２に向けて前方に移動すると、レバー５４の第１のアーム５４Ａ（ピン６１）が、ディスクトレイ１３の第１のカム面５１に突き当たり、第１のカム面５１上をスライド移動する。その際、レバー５４は、トーションバネ６２の付勢力に抗して軸部５５を中心に時計回りに回動して、第１の位置Ｐ１まで移動する。このとき、斜面６５Ａは、レバー５４の回動運動を押し込み部６５の押し込み方向Ｂへの運動に変換する。こうして、第２のアーム５４Ｂは、スイッチ５６の押し込み部６５を下方に押し込む。これにより、ディスクトレイ１３が第２の状態Ｓ２に移動されたことが検知される。
【００２２】
一方、ディスクトレイ１３が第２の状態Ｓ２から第１の状態Ｓ１に戻る際や、取り外されたディスクトレイ１３が本体１２に組み付けられる際に後方に移動するとき、レバー５４の第１のアーム５４Ａ（ピン６１）は、ディスクトレイ１３の第２のカム面５２に突き当たり、第２のカム面５２上をスライド移動する。図９に示すように、その際、レバー５４は、トーションバネ６２の付勢力に抗して軸部５５を中心に反時計回りに回動して、第２の位置Ｐ２まで移動する。このとき、レバー５４の第２のアーム５４Ｂは、スイッチ５６から外れた位置に配置する。このため、ディスクトレイ１３が第２の状態Ｓ２から第１の状態Ｓ１に戻る際や、ディスクトレイ１３が新たに組みつけられる際には、レバー５４を介してスイッチ５６に対して無理な負荷がかからないようになっている。
【００２３】
本実施形態によれば、ＤＶＤ駆動装置１１は、本体１２と、本体１２に対して前後に移動できるディスクトレイ１３と、本体１２に設けられるとともに、ディスクトレイ１３の移動に伴って回動するレバー５４と、本体１２に設けられるとともに、レバー５４の回動によって操作されディスクトレイ１３の位置を検知するスイッチ５６と、を具備し、レバー５４は、ディスクトレイ１３に沿った方向に回動する。
【００２４】
例えば、レバー５４の回動方向がディスクトレイ１３のなしている面と直交する方向である場合には、レバー５４の回転半径を確保するために装置の厚み寸法が増大してしまう。上記構成によれば、スイッチ５６を作動させるためにレバー５４を設ける場合であっても、装置の厚み寸法の増大を極力少なくすることができる。
【００２５】
この場合、レバー５４は、ディスクトレイ１３に沿った位置に配置される。この構成によれば、ディスクトレイ１３に対して、レバー５４を極力近づけて配置することができる。これにより、ＤＶＤ駆動装置１１の厚み寸法の増大を防止して、装置の薄型化を図ることができる。
【００２６】
この場合、スイッチ５６の押し込み方向Ｂは、レバー５４の回動軌跡がなす平面Ａと直交する方向である。この構成によれば、スイッチ５６の押し込み方向Ｂと、レバー５４の回動方向とを別々にすることができる。このため、ディスクトレイ１３に強い力が加えられて、ディスクトレイ１３が第１の状態Ｓ１に勢い良く戻り、その勢いでレバー５４がオーバーランする場合であっても、スイッチ５６に対して無理な負荷がかかることを防止することができる。
【００２７】
この場合、スイッチ５６は、レバー５４によって押し込まれる押し込み部６５を有し、押し込み部６５は、レバー５４の回動軌跡がなす平面Ａに対して斜めになった斜面６５Ａを含み、この斜面６５Ａは、レバー５４の回動運動を押し込み部６５の押し込み方向Ｂへの運動に変換する。この構成によれば、スイッチ５６の押し込み方向Ｂと、レバー５４の回動方向とを別々にする構成を簡単に実現することができる。これにより、レバー５４がオーバーランする場合であっても、スイッチ５６に対して無理な負荷がかかることを防止できる。
【００２８】
この場合、ディスクトレイ１３は、本体１２に対して装着したり、本体１２から取り外したり可能であり、レバー５４は、ディスクトレイ１３の装着時にスイッチ５６から外れた位置に回動する。この構成によれば、スイッチ５６に対して無理な力がかかりやすいディスクトレイ１３の装着時において、レバー５４をスイッチ５６から離れた場所に配置できる。これにより、ディスクトレイ１３の装着時の勢いがスイッチ５６に伝達されて、スイッチ５６に無理な負荷がかかってしまうことを防止することができる。
【００２９】
この場合、レバー５４は、スイッチ５６に当接する第１の位置Ｐ１と、第１の位置Ｐ１に対して反対側の第２の位置Ｐ２と、第１の位置Ｐ１と第２の位置Ｐ２との間に位置する初期位置Ｐ０と、の間で回動可能であり、このレバー５４は、ディスクトレイ１３が前方に移動する際に第１の位置Ｐ１に回動するとともに、ディスクトレイ１３が後方に移動する際に第２の位置Ｐ２に回動する。この構成によれば、ディスクトレイ１３に対して特に強い衝撃が加えられる恐れのある後方移動時において、レバー５４がスイッチ５６から離れる構成を簡単に実現できる。
【００３０】
この場合、ＤＶＤ駆動装置１１は、ディスクトレイ１３が静止した状態で、初期位置Ｐ０にレバー５４を保持するための保持機構５７を具備する。この構成によれば、外部からＤＶＤ駆動装置１１に強い衝撃が加えられた際などに、誤ってスイッチ５６が押し込まれてしまう事態を防止することができる。
【００３１】
本発明のディスク駆動装置は、ＤＶＤ駆動装置１１用に限らず、例えばＣＤ（Compact Disk）駆動装置のようなその他の電子機器に対しても実施可能である。その他、ディスク駆動装置は、発明の要旨を逸脱しない範囲で種々変形して実施できることは勿論である。
【図面の簡単な説明】
【００３２】
【図１】第１の実施形態に係るＤＶＤ駆動装置を示す斜視図。
【図２】図１に示すＤＶＤ駆動装置のディスクトレイが第２の状態にあるときを示す斜視図。
【図３】図２に示すＤＶＤ駆動装置において、ディスクトレイを取り外した状態を示す斜視図。
【図４】図１に示すＤＶＤ駆動装置のディスクトレイが前方に移動している途中で、ディスクトレイを横方向に切断して示す断面図。
【図５】図４に示すＤＶＤ駆動装置のセンサ機構を示す正面図。
【図６】図５に示すセンサ機構のスイッチを示す斜視図。
【図７】図５に示すセンサ機構のレバーが初期位置にある状態を示す上面図。
【図８】図７に示すセンサ機構のレバーが第１の位置にある状態を示す上面図。
【図９】図７に示すセンサ機構のレバーが第２の位置にある状態を示す上面図。
【符号の説明】
【００３３】
１１…ＤＶＤ駆動装置、１２…本体、１３…ディスクトレイ、５４…レバー、５６…スイッチ、５７…保持機構、６５…押し込み部、６５Ａ…斜面、Ａ…回動軌跡がなす平面、Ｂ…押し込み方向、Ｓ１…第１の状態、Ｓ２…第２の状態、Ｐ０…初期位置、Ｐ１…第１の位置、Ｐ２…第２の位置
【図１】
2008243336.tif 000003
【図２】
2008243336.tif 000004
【図３】
2008243336.tif 000005
【図４】
2008243336.tif 000006
【図５】
2008243336.tif 000007
【図６】
2008243336.tif 000008
【図７】
2008243336.tif 000009
【図８】
2008243336.tif 000010
【図９】
2008243336.tif 000011